(57)【要約】【課題】  折り畳んだ状態から使用する状態までの操作を簡単に、且つ安全に行なえるとともに、収納効率の高いコンテナを提供できるようにすることを目的とするものである。【解決手段】  四囲の側壁パネルの内、開閉扉部分の側壁パネルを除く三つの側壁パネルをベース部材に平面視においてコの字形に配設し、コの字形の開口部分に開閉扉部分の側壁パネルを回動可能に枢支し、底面パネルの一辺をベース部材若しくはベース部材から立ち上げた側壁パネル部分に枢支して当該底面を跳ね上げ揺動可能に構成し、底面パネルの揺動先端部を受ける受け部をベース部材若しくはベース部材から立ち上げた側壁パネル部分に形成し、ベース部材の側面部分にはフォークリフトのフォーク挿入部を、開閉扉部分の側壁パネルを除く三つの側壁パネルの上端部分に他のコンテナのベース部材を載置するための載置固定部を形成した。【選択図】図７
2007099376.tif 000002
【特許請求の範囲】
【請求項１】
四囲の側壁パネル部分と底面パネルとを有し、四囲の側壁パネルの内の一側の側壁パネルを開閉可能にして開閉扉部分とするとともに、下部に配設された移動手段により移動可能に構成されたコンテナであって、四囲の側壁パネルの内、開閉扉部分の側壁パネルを除く三つの側壁パネルをベース部材に平面視においてコの字形に配設し、コの字形の開口部分に開閉扉部分の側壁パネルを回動可能に枢支し、底面パネルの一辺をベース部材若しくはベース部材から立ち上げた側壁パネル部分に枢支して当該底面を跳ね上げ揺動可能に構成するとともに、底面パネルの揺動先端部を受ける受け部をベース部材若しくはベース部材から立ち上げた側壁パネル部分に形成し、ベース部材の側面部分にはフォークリフトのフォーク挿入部を、開閉扉部分の側壁パネルを除く三つの側壁パネルの上端部分に他のコンテナのベース部材を載置するための載置固定部を形成したことを特徴とするコンテナ。
【発明の詳細な説明】
【技術分野】
【０００１】
本発明は物品を収納してストックヤードに収納したり、搬送したりするときに使用するコンテナに関するものである。
【背景技術】
【０００２】
この種のコンテナとして例えば、特許文献１及び特許文献２に示すように、正面側壁パネルの左右側縁部分にキャスタ付きの側壁パネルを開閉可能に連結するとともに、正面側壁パネルの下端部分に底面パネルを跳ね上げ揺動可能に枢支し、コンテナの不使用時には一方の側壁パネルを正面側壁パネルに平行で近接するＬ字状に折り畳むようにしたものがある。
【０００３】
上記従来のものでは、左右の両側壁パネルにキャスタが取り付けられていることから動きやすく、一方のパネルを折り畳んで形成された平面視でＬ字状の保形が難しく、他方のパネルに他物が当たって動いてしまうと、Ｌ字形が崩れ、倒れやすくなり危険な状態となるという問題があった。
【０００４】
さらに、コンテナを使用するためにＬ字状に折り畳まれた側壁パネルを開いて跳ね上げられた底面パネルを水平の状態に揺動させるとき、側壁パネルを開き過ぎると、底面パネルの先端がとまらず、下がり過ぎて作業者の足を傷つけてしまうという問題もある。特に大型で底面パネルが鋼鈑のように重量物である場合、その危険性が非常に高いものとなる。
【０００５】
そこで、こうした危険性に鑑み、Ｌ字状から折り畳まれた側壁パネルを開いた開口部分にその間隔を規制するための横渡しバーを取り付けるようにしてあるが、このように横渡しバーを取り付けたものでは、底面パネルを垂直の状態に保持している保持手段の解除操作がしにくいだけでなく、底面パネル上に物品を積み込む場合にはこれを取り外し、積み込んだ後、再び横渡しバーを取り付ける必要があり、操作に手間がかかるという問題もある。
【０００６】
加えて、コンテナに物品を収納してストックヤードに集積若しくは収納する場合、上記公報に記載のコンテナでは、物品を収納したコンテナをストックヤードに密に敷き詰めるだけで、上方空間を利用することができず、収納効率が低いという問題もあった。
【０００７】
【特許文献１】特開平９−６６９３９号公報
【特許文献２】特開平１０−１４７４３号公報
【発明の開示】
【発明が解決しようとする課題】
【０００８】
本発明は上記問題点に鑑みて提案されたもので、折り畳んだ状態から使用する状態までの操作を簡単に、且つ安全に行なえるとともに、収納効率の高いコンテナを提供できるようにすることを目的とするものである。
【課題を解決するための手段】
【０００９】
上記目的を達成するために本発明にかかるコンテナは、四囲の側壁パネル部分と底面パネルとを有し、四囲の側壁パネルの内の一側の側壁パネルを開閉可能にして開閉扉部分とするとともに、下部に配設された移動手段により移動可能に構成されたコンテナであって、四囲の側壁パネルの内、開閉扉部分の側壁パネルを除く三つの側壁パネルをベース部材に平面視においてコの字形に配設し、コの字形の開口部分に開閉扉部分の側壁パネルを回動可能に枢支し、底面パネルの一辺をベース部材若しくはベース部材から立ち上げた側壁パネル部分に枢支して当該底面を跳ね上げ揺動可能に構成するとともに、底面パネルの揺動先端部を受ける受け部をベース部材若しくはベース部材から立ち上げた側壁パネル部分に形成し、ベース部材の側面部分にはフォークリフトのフォーク挿入部を、開閉扉部分の側壁パネルを除く三つの側壁パネルの上端部分に他のコンテナのベース部材を載置するための載置固定部を形成したことを特徴とするものである。
【発明の効果】
【００１０】
本発明にかかるコンテナは、四囲の側壁パネルの内、三つのパネルをベース部材に平面視においてコの字形に固定し、コの字形の開口部分に開閉扉部分の側壁パネルを回動可能に枢支してあるので、開閉扉部分の側壁パネルを折り畳む場合等に、上記コ字形が確りと保持される。
これにより、コンテナに他物が触れたり当たったりしたときでも従来のように倒れやすくなることがなく、安全性の高いコンテナを提供することができる利点がある。
【００１１】
さらに、発明にかかるコンテナは、跳ね上げられた底面パネルを使用するために、折り畳んだ状態から水平の状態に揺動させる時、底面パネルの先端部分はコ字形のベース部材若しくは側壁パネルに確りと受け止められるので、従来のように垂直姿勢から水平姿勢に揺動する底面パネルの先端がとまらず、下がり過ぎて作業者の足を傷つけてしまうという問題もなくせ、大型で底面パネルが鋼鈑のように重量物である場合でも、その操作上の安全性を高いものにすることができる利点もある。
【００１２】
また、発明にかかるコンテナは、開閉扉部分の側壁パネルを開いた状態でも三方の側壁パネルが平面視において開閉扉側部分が開口するコの字形に立設されて固定されているので、この開閉扉部分の側壁パネルを開いた状態で底面パネルの揺動操作が行なえる。
したがって、従来のようにＬ字状から折り畳まれた側壁パネルを開いた開口部分にその間隔を規制するための横渡しバーを取り付けたもののような横渡しバーの着脱操作を必要とせず、底面パネル上に物品を積み込むときの操作も短時間に簡単に行なうことができる利点もある。
【００１３】
加えて、四囲の側壁パネルの内、開閉扉部分の側壁パネルを除く三つの側壁パネルをベース部材に平面視においてコの字形に固定し、ベース部材の側面部分にはフォークリフトのフォーク挿入部を、上記三つの側壁パネルの上端部分にはベース部材を載置したときの載置固定部を形成するようにしてあるので、コンテナに物品を収納してストックヤードに集積若しくは収納する場合、コンテナを上下に重ねて収納することができる。これにより、従来デッドスペースであった上方空間を利用することができ、収納効率を格段に向上させることができる利点がある。
【発明を実施するための最良の形態】
【００１４】
以下、本発明のコンテナにかかる最良の形態を図面に基づいて説明する。
【実施例１】
【００１５】
図１はコンテナの全体斜視図であって、図中符号１はコンテナを全体的に示す。
このコンテナは１、平面視コの字に配設された三枚の側壁パネル（正面側壁パネル２、左右の側壁パネル３・４）と、ベース部材５の開口部分６側に開閉揺動可能に配設された側壁パネル（開閉扉）７と、揺動先端部がベース部材５の開口部分６に受け止められる跳ね上げ可能な底面パネル８とを備えてなる。
【００１６】
上記ベース部材５の各辺の上面部分から立設された三つの側壁パネル２・３・４は、ベース部材５の各辺にＬ形アングル材９を取り付け、パイプを縦長の門形に形成し両端部を前記Ｌ形アングル材９に固定して角形の枠体１０を形成するとともに、この枠体１０に縦桟１１として複数の小径パイプを等間隔に設けて構成してある。
そして、これら三つの側壁パネル２・３・４の互いに近接する側縁同志は金具１２により連結されるとともに、各側壁パネル２・３・４の等間隔に設けられた縦桟１１は枠体１０の両端に亘って水平方向に掛け渡された帯板１３に固定されている。
【００１７】
上記ベース部材５は、下面に車輪（移動手段）１４が設けられ側面部分にはフォークリフト（図示せず）のフォーク挿入部１５を開口するとともに、上面部分に底面パネル８の揺動先端部分を受け止める受け部１６となる板状の鋼材を左右に配置し、正面側壁パネル２側の端部同士をこの間に架け渡された正面側壁パネル２を形成する前記Ｌ形アングル材９で固定してある（図２・図３参照）。
因みに、上記車輪１４の内、開口部分６側に位置する車輪１４はストッパ付きの自在車輪となっている。
上記鋼材の一端部同士を連結固定する正面側壁パネル２のＬ形アングル材９の上面には底面パネル８の回動枢支部１７が形成されるとともに、当該Ｌ形アングル材９の下面には後述する載置固定部１８に掛合する支持部１９が形成されている。
【００１８】
そして、開閉扉を形成する側壁パネル７は、左右の側面パネル３・４と同様のパイプを縦長の角枠２０に形成し、この角枠２０に縦桟１１として複数のパイプを等間隔に設け、等間隔に設けられた縦桟１１は角枠２０の両端に亘って掛け渡され帯板１３に固定されており、角枠２０の一方の側辺部分（図上左方の辺部分）が蝶番２１により左方の側壁パネル３に連結されている。
また、開閉扉を形成する側壁パネル７の角枠２０の他方（図上右方）の側辺部分には当該側壁パネル７を閉じたときにロックするロック機構２２が設けられている。
【００１９】
上記ロック機構２２は図２乃至図３に示すように、先端にフック２３を形成したロック片２４と、当該ロック片２４を斜めに昇降案内するガイド片２５とからなり、開閉扉を形成する側壁パネル７を閉じた状態でロック片２４を下降させるとロック片２４のフック２３が一方（図上右方）の側壁パネル４の門形に形成された枠体１０の側縁部分１０ａに掛合し、ロック片２４を上昇させたときはその掛合が解除されるように構成されている。
因みに、左右の側壁パネル３・４及び開閉扉を形成する側壁パネル７の高さは、正面の側壁パネル２の高さより低くしてある。
【００２０】
また、左右の側壁パネル３・４及び正面の側壁パネル２の上端部分にはコンテナ１を上下に載置するための載置固定部２６が形成されている。
この載置固定部２６は、図に示すように水平の支持台部分２７とこの支持台部分２７から斜めに傾斜したガイド面２８とで形成された部材２９を高さの高い正面の側壁パネル２
の上端部分には直接取り付け、高さの低い左右の側壁パネル３・４には門形に形成された台座３０を介して、前記斜めに傾斜したガイド面２８が外に広がる状態に夫々取り付けられており、左右の側壁パネル３・４に取り付けた部材２９は正面の側壁パネル２の上端部分に取り付けられ部材２９よりわずかに高く（例えば２ｃｍ程度）なっている。
【００２１】
上記底面パネル８は、板状部材を上記四囲の側壁パネル２・３・４・７で形成される平面視四角形より僅かに小さくして当該四角形に内接するように形成され、正面側壁パネル２側の端部が当該側壁パネル２の下部のＬ形のアングル材９に枢支されることにより、水平の使用状態から開口側端部が跳ね上げられて垂直の折り畳み収納状態に揺動するようになっている。
この揺動枢支の構造は、図６に示すように底面パネル８の側縁部分に枢支用ロッド３１を設け。この枢支用ロッド３１を前記Ｌ形のアングル材９に設けた枢支部３２に回動可能に支持させるようにしたものである。
そして、底面パネル８が垂直の折り畳み収納状態を保持する保持部３４が正面の側壁パネル２に設けてある。
【００２２】
即ち、垂直の折り畳み収納状態の底面パネル８を保持する保持部は、正面の側壁パネル２の中央の縦桟１１部分に下向きの鉤形３５をした保持部材３５を上下昇降並びに回動可能に設け、この保持部材３５は跳ね上げられた底面パネル８の中央部分に形成された切込み部分３６に嵌合して底面パネル８を保持するようになっている。
尚、図中符号３７・３８は、開閉扉を形成する側壁パネル７が閉じられたときに底面パネル８の先端部分若しくは側壁パネル４の側縁部分に当接して位置決めをする舌片である。
【００２３】
上記のように構成されたコンテナ１の使用手順を次に説明する。
コンテナ１に例えば書籍等を収納する場合、先ず、コンテナ１の収納時に跳ね上げられて折り畳まれていた底面パネル８の先端部を保持している保持部３４を上昇させ、保持部３４と底面パネル８の先端部との掛合を解除し、底面パネル８を垂直状態から水平状態に揺動させる。
水平状態になった底面パネル８の先端部分は、ベース部材５の上面部分の板状の受け部１６に受け止められる。
【００２４】
次に、水平にされた底面パネル８に収納する書籍等を載置した後、開閉扉を形成する側壁パネル７を閉じ、ロック機構２２のロック片２４を下降させてロック機構２２側の側壁パネル４の枠体１０の側縁部分１０ａにフック２３を掛合させると書籍等の収納作業が終了する。
こうして書籍を収納したコンテナ１をストックヤードに集積する場合、ベース部材５の側面部分に形成されたフォーク挿入口１５にフォークリフトのフォークを挿入し、コンテナ１を持ち上げて、すでに設置されているコンテナ１に上方に移動させた後、下降させて載置する。
この下降時、上下のコンテナ１・１間に多少の位置ずれがあっても、左右の側壁パネル３・４及び正面の側壁パネル２に設けられた載置固定部２６は、上述したように水平の支持台部分２７から斜めに傾斜したガイド面２８で正確な位置に案内されるので、コンテナ１は簡単で正確に上下に重ね置きして上方空間の有効利用をすることができる（図８参照）。
【００２５】
また、コンテナ１に収納した書籍を取り出す場合、ロック機構２２のロック片２４を上昇させてロック機構２２側の側壁パネル４の枠体１０の側縁部分１０ａとフック２３との掛合を解除し、開閉扉を形成する側壁パネル７を開き、底面パネル８上の書籍を取り出す。
そして空になったコンテナ１を折り畳んで格納する場合、図７に示すように開閉扉を形成する側壁パネルを図上左方の側壁パネルの外面に沿わせるように大きく開くとともに、底面パネル８を水平の状態から正面の側壁パネル２に沿わせた垂直に跳ね上げる。
跳ね上げられた底面パネル８はその上端部に形成された切込み２７部分に保持部材３５を掛合させて底面パネル８の垂直姿勢を保持させると、コンテナ１は平面視でコ字形となる。
【００２６】
従って限られた格納場所にコンテナ１を効率よく格納する場合には図９及び図１０に示すように、複数のコンテナ１をその開口部分が互いに対面させ、対面する左右の側壁パネル３・４がコの字形の内方に入り込ませるようにすることにより、小スペースに効率よく格納することができる。
この場合にも、上述したように上方にも重ね置くことができるのは勿論のことである。
尚、上記実施の形態ではコンテナ１に書籍を収納するようにしてあるが、収納する物品は書籍に限られず種々の物品の収納に利用することができることは言うまでもないことである。
また、上記実施の形態では底面パネル８の揺動先端部をベース部材５に受け止めさせるようにしてあるが、こうしたものに限られず、左右の側壁パネル３・４の下端部に受け止めさせるようにすることができるのは勿論のことである。
【図面の簡単な説明】
【００２７】
【図１】は本発明にかかるコンテナの全体斜視図である。
【図２】は本発明にかかるコンテナの扉部分を開いた状態の全体斜視図である。
【図３】は本発明にかかるコンテナの底面パネルを跳ね上げた状態の全体斜視図である。
【図４】は本発明にかかるコンテナのロック機構部分の正面図である。
【図５】は本発明にかかるコンテナの底面パネルの揺動枢支部分の斜視図である。
【図６】は本発明にかかるコンテナの保持部の斜視図である。
【図７】は本発明にかかるコンテナの扉部分を大きく開いた状態の全体斜視図である。
【図８】は本発明にかかるコンテナを上下に載置した状態の側面図である。
【図９】は本発明にかかるコンテナを収納するときの平面図である。
【図１０】は本発明にかかるコンテナを収納するときの平面図である。
【符号の説明】
【００２８】
１・・・コンテナ
２・・・正面側壁パネル
３・・・左側壁パネル
４・・・右側壁パネル
５・・・ベース部材
６・・・開口部分
７・・・開閉扉を形成する側壁パネル
８・・・底面パネル
１４・・・移動手段（車輪）
１６・・・受け部
１８・・・載置固定部
３４・・・保持部
【図１】
2007099376.tif 000003
【図２】
2007099376.tif 000004
【図３】
2007099376.tif 000005
【図４】
2007099376.tif 000006
【図５】
2007099376.tif 000007
【図６】
2007099376.tif 000008
【図７】
2007099376.tif 000009
【図８】
2007099376.tif 000010
【図９】
2007099376.tif 000011
【図１０】
2007099376.tif 000012